(57)【要約】【課題】組立て工数が非常に少なくてすみ、既存の開口内への設置も容易に行え、デザイン的な高級感も演出できる石製扉ユニットを提供する。【解決手段】一塊の石材から、上枠部１１と下枠部１２と左右一対の縦枠部１３，１４とを削り出した一体物の石製の扉枠１と、扉枠１に、支軸で開閉自在に軸支された石製の扉２とからなる。扉枠１に、扉枠１を取付相手部材Ｂの開口Ｂ０内に固定するための金具取付孔１６を形成している。上枠部１１と下枠部１２と扉が、平面視において中央部が突出するように湾曲している。扉が、観音開き式の扉である。【選択図】図１
0003116634.tif 000002
【実用新案登録請求の範囲】
【請求項１】
一塊の石材から、上枠部と下枠部と左右一対の縦枠部とを削り出した一体物の石製の扉枠と、
該扉枠に、支軸で開閉自在に軸支された石製の扉と
からなることを特徴とする石製扉ユニット。
【請求項２】
前記扉枠に、該扉枠を取付相手部材の開口内に固定するための金具取付孔を形成している
ことを特徴とする石製扉ユニット。
【請求項３】
前記上枠部と前記下枠部と前記扉が、平面視において中央部が突出するように湾曲している
ことを特徴とする石製扉ユニット。
【請求項４】
前記扉が、観音開き式の扉である
ことを特徴とする石製扉ユニット。
【考案の詳細な説明】
【技術分野】
【０００１】
本考案は、石製扉ユニットに関する。さらに詳しくは、墓や納骨堂など石製の収納設備に収納室等の空間を開閉するために取付けられる石製の扉ユニットに関する。
【背景技術】
【０００２】
従来の石製扉ユニットとして、特許文献１に記載の香炉台装置120がある。
図８に示すように、この墓用香炉台装置120は、墓石110の下台113の前面部であって、芝台114上に設置されている。この墓用香炉台装置120の上には香炉（図示省略）が載置可能である。なお、墓用香炉台装置120の両側に花立などが設置されている。
この墓用香炉台装置120は、石材製であって、基台部121と、基台部121から立設された左右一対の側壁部122と、香炉を上面に載置できるようにした天井部123と、前面部に設けられた観音開き扉124とからなる。
【０００３】
図９に示すように、前記した基台部121と２本の側壁部122と天井部123は、それぞれ別個の石材であって、加工前の石材から個々に削り出した後、ねじ止めや接着等の任意の手段で結合するようになっている。このように、個々の石材をバラバラに作るのは、工作が容易であり、一体に刳り抜く場合に生じる材料の無駄もないからである。
また、前記観音開き扉124は、枢支部170によって基台部121と天井部123とに回動自在に取付けられている。枢支部170は、キャップ状のピン受け体171と、該ピン受け体171に対して回動自在に嵌り込む枢ピン体172とで構成している。
【０００４】
しかるに、上記従来の扉ユニットでは、バラバラだった４本の石材を組立てたうえで、上下の枢支部170同士と左右の枢支部170同士の芯出しをしなければならないので、組立てが非常に困難であり、熟練した作業員でも数時間はかかっていた。また、この作業は扉ユニット自体を開放された空間で組立てるのなら、既述のように時間がかかっても可能であったが、納骨室や墓石の予め刳り抜いた開口部へ後付けすることは、後付け自体の困難さに加え、扉の開閉が可能なように、上下左右の芯出しをすることが極端に難しくなって、開口内への組付けは丸１日費やしても出来るが出来ないか分らない程の難作業であった。
【０００５】
このような事情から、従来の扉ユニットは、図８に示すように墓石の前面などの開放空間にしか設置できないものであった。換言すれば、既存の開口、例えば、納骨室などの収納空間の前面などへ扉ユニットを取付けることは事実上不可能であったという問題がある。
また、バラバラの部材を組立てた場合は、必然的に継ぎ合せた部分に継ぎ目線が出来てこれば見た眼に煩雑な印象を与え、見映えが悪いのでデザイン的な高級感を演出することができなかったという問題がある。
【０００６】
【特許文献１】実用新案登録第３０９４６４３号
【考案の開示】
【考案が解決しようとする課題】
【０００７】
本考案は上記事情に鑑み、組立て工数が非常に少なくてすみ、既存の開口内への設置も容易に行え、デザイン的な高級感も演出できる石製扉ユニットを提供することを目的とする。
【課題を解決するための手段】
【０００８】
第１考案の石製扉ユニットは、一塊の石材から、上枠部と下枠部と左右一対の縦枠部とを削り出した一体物の石製の扉枠と、該扉枠に、支軸で開閉自在に軸支された石製の扉とからなることを特徴とする。
第２考案の石製扉ユニットは、前記扉枠に、該扉枠を取付相手部材の開口内に固定するための金具取付孔を形成していることを特徴とする。
第３考案の石製扉ユニットは、前記上枠部と前記下枠部と前記扉が、平面視において中央部が突出するように湾曲していることを特徴とする。
第４考案の石製扉ユニットは、前記扉が、観音開き式の扉であることを特徴とする。
【考案の効果】
【０００９】
第１考案によれば、扉枠が一体物の石材であるので、上枠部と下枠部と左右の縦枠部間の芯出しを行う必要がなく、扉を扉枠に止める支軸の芯出しのみ行えばよい。この作業は容易に行えるので、扉ユニット全体の組立ても容易に行える。また、扉枠自体が一体物であることから個々の石材の芯出しの必要がないので、既存の開口内への後付けが容易に行える。さらに、扉枠に継ぎ目が生じないので、スッキリした印象を与え、高級感を演出することができる。
第２考案によれば、扉枠が一体物であるから、金具取付孔へ金具を挿入して固定することで、他の手間をかけることなく開口内への扉枠の取付けを完了することができる。このため既存の開口への後付けであっても容易に行える。
第３考案によれば、湾曲した形状が、石材の通常のデザインの直線的なものに比べ、柔らかで豊かな印象を与えることができる。よって、高級感の演出が可能である。
第４考案によれば、扉が観音開きに開閉するので、開口内へ組込んでも、大きな開口空間をもつことができる。
【考案を実施するための最良の形態】
【００１０】
つぎに、本考案の実施形態を図面に基づき説明する。
（全体構成）
図１は（Ａ）図は扉を閉めた状態の石製扉ユニットの斜視図、（Ｂ）図は扉を開いた状態の石製扉ユニットの斜視図である。
図１に示すように、本実施形態の石製扉ユニットＡは、一塊の石材から、上枠部１１と下枠部１２と左右一対の縦枠部１３，１４とを削り出した一体物の石製の扉枠１と、この扉枠１に、支軸で開閉自在に軸支された石製の扉２とからなる。
【００１１】
（扉枠）
図２は扉枠１の斜視図である。この扉枠１は一塊の石材から削り出したもので、上枠部１１と下枠部１２と左右一対の縦枠部１３，１４の外周を削り、内部を刳り抜いて形成している。したがって、完全な一体物で継目などは一切ない石材である。
【００１２】
前記上枠部１１の左右両端部には、支軸取付孔１４，１５が形成され、前記下枠部１２の左右両端部にも、支軸取付孔１４，１５が形成されている。この上下の支軸取付孔１４，１４は同芯位置にあり、また上下の支軸取付孔１５，１５も同芯位置に設けられている。
また、上枠部１１には、２ヵ所の金具取付孔１６，１６が形成されている。
【００１３】
前記上枠部１１と前記下枠部１２とは、平面視において、中央部が突出するように湾曲して形成されている。また、左右の縦枠部１３，１４も、前面が丸みをもった凸面に形成されている。
【００１４】
（扉）
図３は扉２の斜視図である。この扉２は両開き型の観音扉で、右扉２１と左扉２２とからなる。この右扉２１も左扉２２も石材から削り出した一体物の扉である。
前記右扉２１と前記左扉２２とは、いずれも基端部の上下に支軸取付孔２５，２４が形成されている。
また、右扉２１の先端部には重なり部２６が形成され、左扉２２の先端部には切欠き部２７が形成されている。この重なり部２６は、両扉を閉じたとき、切欠き部２７に合わさって、通風の浸入を防止する。
なお、右扉２１には鍵を取付ける鍵孔２８が形成されている。
【００１５】
前記右扉２１と前記左扉２２から構成される扉２は、図１（Ａ）に示すように、閉じた状態において、平面視で中央部が突出する湾曲面に形成されている。また、右扉２１の重なり部２６の前面も丸みをもった凸面に形成されている。
【００１６】
（組立て方法）
図４は石製扉ユニットＡの正面図である。図５は石製扉ユニットＡの背面図である。
左右の扉２１，２２を扉枠１に支持する支軸３は、雌ピン３１と雄ピン３２とから構成されている。
右扉２１の上下の支軸取付孔にはそれぞれ雌ピン３１が挿入固定され、上枠部１１と下枠部１２の支軸取付孔１５には、それぞれ雄ピン３２が挿入固定されている。
そして、上下の雌ピン３１に上下の雄ピン３２を挿入することにより、右扉２１が開閉自在に取付けられている。
また、左扉２２の上下の支軸取付孔にはそれぞれ雌ピン３１が挿入固定され、上枠部１１と下枠部１２の支軸取付孔１５には、それぞれ雄ピン３２が挿入固定されている。
そして、上下の雌ピン３１に上下の雄ピン３２を挿入することにより、左扉２２が開閉自在に取付けられている。
【００１７】
前記右扉２１の鍵孔２８には、シリンダー型の鍵３３が挿入固定される。この鍵３３の止め金３４は、横向きと上向きの間で回動し、上向きのとき上枠部１１の裏面に当って、扉２の開放を阻止することができる。
【００１８】
（取付方法）
図６は石製扉ユニットＡを後付けで取付けた状態の正面図である。図７は石製扉ユニットＡを後付けで取付けた状態の斜視図である。
取付相手部材Ｂの一例として、三宝台を例にとって、扉ユニットＡの取付方法を説明する。
石製扉ユニットＡは、既述の要領で扉枠１に扉２を取付け、ユニットとして完成しておく。また、金具取付孔１６内にはナットを接着等で固着しておき、このナットにボルトを通しておく。
この状態の扉ユニットＡを、相手部材Ｂの開口部Ｂ０に入れて、金具取付孔１６内のナット３３に通したボルト３４をねじ込み、開口部Ｂ０の天板Ｂ１に押し付けて固定する。
このように、ボルト３４を２本ねじ込むことで、扉ユニットＡを相手部材Ｂの開口Ｂ０内に簡単に取付けることができる。
【００１９】
（他の実施形態）
上記実施形態では、扉２は両開き型であったが、片開き型の片扉を用いたものも本考案に含まれる。
また、本考案の扉ユニットＡを取付ける相手部材Ｂとしては、前記した三宝台に限ることなく、納骨堂、丘カロート式墓石、一般墓石、洋型墓石、巻石、及び石製物入など種々の石製品に適用することができる。
【図面の簡単な説明】
【００２０】
【図１】（Ａ）図は扉を閉めた状態の石製扉ユニットの斜視図、（Ｂ）図は扉を開いた状態の石製扉ユニットの斜視図である。
【図２】扉枠１の斜視図である。
【図３】扉２の斜視図である。
【図４】石製扉ユニットＡの正面図である。
【図５】石製扉ユニットＡの背面図である。
【図６】石製扉ユニットＡを後付けで取付けた状態の正面図である。
【図７】石製扉ユニットＡを後付けで取付けた状態の斜視図である。
【図８】従来の扉ユニットの墓石への取付状態を示す斜視図である。
【図９】従来の扉ユニットの正面図である。
【符号の説明】
【００２１】
Ａ    石製扉ユニット
１    扉枠
２    扉
１１    上枠部
１２    下枠部
１３    左縦枠部
１４    右縦枠部
２１    右扉
２２    左扉
【図１】
0003116634.tif 000003
【図２】
0003116634.tif 000004
【図３】
0003116634.tif 000005
【図４】
0003116634.tif 000006
【図５】
0003116634.tif 000007
【図６】
0003116634.tif 000008
【図７】
0003116634.tif 000009
【図８】
0003116634.tif 000010
【図９】
0003116634.tif 000011
【手続補正書】
【提出日】平成17年9月26日(2005.9.26)
【手続補正１】
【補正対象書類名】実用新案登録請求の範囲
【補正対象項目名】全文
【補正方法】変更
【補正の内容】
【実用新案登録請求の範囲】
【請求項１】
一塊の石材から、上枠部と下枠部と左右一対の縦枠部とを削り出した一体物の石製の扉枠と、
該扉枠に、支軸で開閉自在に軸支された石製の扉と
からなることを特徴とする石製扉ユニット。
【請求項２】
前記扉枠に、該扉枠を取付相手部材の開口内に固定するための金具取付孔を形成している
ことを特徴とする請求項１記載の石製扉ユニット。
【請求項３】
前記上枠部と前記下枠部と前記扉が、平面視において中央部が突出するように湾曲している
ことを特徴とする請求項１記載の石製扉ユニット。
【請求項４】
前記扉が、観音開き式の扉である
ことを特徴とする請求項１記載の石製扉ユニット。